(57)【要約】一つの吸入口と、及び吸入流れをコアンダ効果によって一方の排出口又は他方の壁に追随する流れを作るのに好適な可動壁（２）からなる排出口（６及び７）に向かわせる偏向手段を含む二つの排出口（６及び７）とから構成される流体分配システム。第１の位置において、可動式壁（２）は、二つの排出口の一方に延在した吸入口（１）の側壁（３）に組込まれている。この位置から、可動壁（２）は、管の内側表面に階段状の凹凸部４を形成するように、可動壁の上流側端部が管内側に突き出ている第２の位置に移動することができる。
2004521296.tif 000002
【特許請求の範囲】
【請求項１】
流体流れを受け取る吸入口（１）と、２つの排出口（６，７）と、２つの排出口（６，７）の間にある吸入口（１）を通って流れる流れを分配するための偏向手段（２）とを有する流体分配装置であって、
前記偏向手段（２）は、コアンダ効果によってどちらか一方の排出口に追随する流れの偏向を制御するために好適な可動壁を備え、  前記可動壁（２）は、第１排出口（６）まで延在した前記吸入口（１）の側壁（３）に組み込まれており、流れ全体が前記第１の排出口（６）へ向かうようになっている第１の位置と、前記可動壁（２）の（流れの方向に対する）上流側端部が、前記側壁（３）の内側表面に凹凸部（４）を形成するように管内側に突き出し、前記表面からの流れの離脱及び第２の排出口（７）への追随を引き起こして、偏向をもたらす第２の位置と、の間を移動可能であることを特徴とする流体分配装置。
【請求項２】
前記可動壁（２）が、前述の位置にあるときに、管の内側表面に段部を形成することを特徴とする請求項１に記載の流体分配装置。
【請求項３】
前記可動壁（２）が、始めは前記第１の位置にあり、制御手段（８）を介して前記第２の位置に弾力的に変形可能である請求項１に記載の流体分配装置。
【請求項４】
前記可動壁（２）が、始めは前記第二の位置にあり、制御手段（９および２）を介して前記第一の位置に弾力的に変形可能である請求項１に記載の流体分配装置。
【請求項５】
前記制御手段が、形状記憶ワイヤ（９）を含み、該形状記憶ワイヤは、通電による加熱によって収縮可能であると共に、該ワイヤ（９）の収縮によって前記可動壁（２）が前記第一の位置に向かって弾力的に変形するように前記可動式壁（２）に連結されていること特徴とする請求項４に記載の流体分配装置。
【請求項６】
前記制御手段が、可動壁（２）内に埋め込まれた形状記憶シートを含み、該形状記憶シートが、該シートに電流を流すためのターミナル（１３及び１４）に連結されており、該シートをジュール効果によって加熱することにより、該シートの形状記憶効果に基づいて、前記可動壁を第２の位置から第１の位置へと弾性的に変形させることを特徴とする請求項４に記載の流体分配装置。
【請求項７】
前記ターミナル（１３及び１４）の一つが、形状記憶シートの加熱ためにＰＴＣ端子（１５）に連結されていることを特徴とする請求項６に記載の流体分配装置。
【請求項８】
一以上の前記請求項に記載の装置を内臓することを特徴とする空気分配装置。
【請求項９】
請求項８に記載の空気分配システム装置を内臓する自動車。
【発明の詳細な説明】
【０００１】
本発明は、流体を受け入れる一つの吸入口と、二つの排出口と、二つの排出口の間にある吸入口を通過する流体を分配するための偏向手段とを有するタイプの流体分配装置に関する。本発明の適用分野は、流体のタイプ（液状又はガス状）及び分配装置が備えられているシステムの双方に関して広いものである。単になる例示を挙げるならば、建物や自動車に調和空気を分配するシステムが考えられる。
【０００２】
出願人は、２００１年３月１２日に出願され、本出願が提出される日にはまだ未公表であるイタリア特許出願ＴＯ２００１Ａ０００２２３において、コアンダ効果偏向手段を含む空気分配装置をすでに提案している。この装置を組入れている自動車のダッシュボードもまた、同一の出願人による係属中の別出願の対象となっている。
【０００３】
本発明の目的は、単純性および機能性の観点から有利である改良された偏向手段を備える新規な装置を提供することである。
この目標を達成するために、本発明は、上記タイプの流体分配装置であって次の特徴を有する。即ち、前記偏向手段がコアンダ効果によって壁に追随する流れの偏向を制御するのに好適な可動式壁を含み、
第１の前記排出口の壁を形成するために伸びている前記吸入口の側壁に合体しているので、流れ全体が、コアンダ効果によって可動式壁に追随するようにされ、よって前記第１の排出口に向かう第一の位置と、
前記可動式壁の（流れの方向に対して）上流側端部が、前記側壁の内側表面に凸部を形成するために排出口の内側に突き出ており、常に、コアンダ効果によって、前記表面からの流れの離脱及び第２の排出口への追随を引き起こして、偏向を引き起こす第二の位置と、
の間を移動可能な前記可動式壁であることを特徴とする前記タイプの流体分配装置である。
【０００４】
本件発明について添付の図面を参照しながら説明する。図面は、単になる例であって制限するものではない。
【０００５】
図１及び２において、吸入口１から流れてくる流体（液状又はガス状）の流れＦの方向を、流れＦが２つの異なる排出口（図１及び２には図示せず）に向かうように制御する。この目的のために、本発明に関する装置は、可動壁２を備えており、その可動壁２は、吸入口１を形成すると共に前記２つの排出口の一方の側壁を形成するように延在した側壁３に組み込まれている。
【０００６】
可動壁２は、図１に示した、側壁３と同一平面にある第１の位置と、可動壁２によって側壁３の内表面に階段状の凹凸部４を作り出す（図２に示した）第２の位置と、の間を動くことができる。第１の位置において、吸入口１から来た流れは可動壁２に沿い続ける傾向を示し、湾曲部に追随する。第２の動作状態（図２）において、凹凸部４は、流れＦの側壁３からの離脱、及び第２の排出口（図１及び２には不図示）に続く反対側の壁５への追随を引き起こす偏向を生じさせる。
【０００７】
例として、図３に、吸入口１と２つの排出口６及び７とを含み、第１の排出口６の側壁６ａに続く壁３への切込み部によって構成された可動壁２を備える分配装置の一部分を示す。
【０００８】
図４は、壁２を制御する装置の第１の例を示す。この例において、図４に示したように、壁２は第１の動作位置に、すなわち壁２が壁３と同一平面にある位置に留まる傾向がある弾性部材からなる。この位置から、壁２は、任意のタイプの電動式手段によって制御された回転カム８との係合に従って弾力的に変形し、段部４を作り出すことができる。
【０００９】
図５は、変形例を示す。図５では、壁２はやはり弾性部材から成るが、その弾性部材は、壁３と壁２との間に階段状の凹凸部４を作り出す、図５に示した真直ぐな位置（ｓｔｒａｉｇｈｔ ｐｏｓｉｔｉｏｎ）に留まる傾向がある。この状態から始めて、壁２は、形状記憶ワイヤ９によって加えられた牽引力によって弾性的に変形し、壁３と同一平面となる点線によって示された位置にくることができる。形状記憶ワイヤ９は、壁２の両端に渡されており、支持部材１１のリターンローラ１０に係合している。支持部材１１は、壁２が変形状態にあるときに壁２を支える曲面１２を有する形状記憶ワイヤ９には、温度が既定の変形温度を超えて上昇すると短くなることを可能にした任意のタイプの形状記憶合金を使うことができる。加熱は、ワイヤに電流を流すことにより、ジュール効果によって行うことができる。
【００１０】
図６には、図５と似た解決手段を示しているが、図６では、形状記憶合金の薄いシートが弾性壁２の内部に埋め込まれている。非変形状態（点線）では、壁は段部４を形成し、一方で、壁の温度が既定の閾値を超えたとき、シートは、壁が連続線で示した位置に到達するまで変形する。加熱は電流がＰＴＣ加熱装置１５を通って流れることによって得られる。
【００１１】
先に述べたように、本発明に関する装置は、広い範囲に利用可能性がある。非制限的な適用実施例として、建物における空気分配システム或いは自動車における空調分配システムが挙げられる。
【００１２】
これまでの説明から、本発明に記載された装置において、流れは常に、コアンダ効果によって排出口のどちらか一方に追随する。他方よりも一方のダクトに追随するという選択は、可動壁がとる位置によって制御される。実際には、可動壁は、排出口６の表面が連続しているとき、低圧の泡が生じる領域を乱す。
【００１３】
当然のことながら、理解されている本発明の原理、実施態様の構造上の詳細や形は、本発明の範囲を離れない限り、実施例によって説明し示したものに関して広範囲に渡って変えることが可能である。
【図面の簡単な説明】
【図１】図１は、本発明の動作原理を示す２つの異なる動作状態にある本発明に関する偏向手段の概略図である。
【図２】図２は、本発明の動作原理を示す２つの異なる動作状態にある本発明に関する偏向手段の概略図である。
【図３】本発明に関する分配装置の概略図である。
【図４】図４は、本発明に関する装置の一部を形成する可動式壁を制御する手段の３つの異なる形態の実施態様を概略的に示したものである。
【図５】図５は、本発明に関する装置の一部を形成する可動式壁を制御する手段の３つの異なる形態の実施態様を概略的に示したものである。
【図６】図６は、本発明に関する装置の一部を形成する可動式壁を制御する手段の３つの異なる形態の実施態様を概略的に示したものである。
【国際公開パンフレット】
2004521296.tif 000003
2004521296.tif 000004
2004521296.tif 000005
2004521296.tif 000006
2004521296.tif 000007
2004521296.tif 000008
2004521296.tif 000009
2004521296.tif 000010
2004521296.tif 000011
2004521296.tif 000012
2004521296.tif 000013
【国際調査報告】
2004521296.tif 000014
2004521296.tif 000015
2004521296.tif 000016
2004521296.tif 000017